(57)【特許請求の範囲】
【請求項１】
自基地局の管轄セルが複数のセクタに分割されており、１セクタ当たりのアンテナ数が２本以上である基地局受信装置において、
いずれかのアンテナに係る入力された受信信号に対して同期捕捉、追従動作を行う、１セクタ当たりのアンテナ数に等しい数だけ、又は、それより少ないが複数設けられたサーチャ手段と、
異なるアンテナに係る複数の受信信号が入力され、サーチャ入力セレクト信号に応じてそのうちの１個の受信信号を選択して、対応する上記サーチャ手段に出力する複数のサーチャ入力セレクタ手段と、
異なるアンテナに係る複数の受信信号を、上記サーチャ手段による同期捕捉、追従した結果を利用して復調処理して最終的な復調信号を得る復調手段と、
セクタ間ハンドオフ動作を多段階の切り替え動作で実行するように上記各サーチャ入力セレクタ手段及び上記復調手段を制御するものであって、最終段階以前の切り替え段階の終了時では、一部のサーチャ手段に、ハンドオフ元セクタに係る受信信号が入力され、残りのサーチャ手段に、ハンドオフ先セクタに係る受信信号が入力されるように、上記各サーチャ入力セレクタ手段を制御すると共に、上記復調手段が、それら同期捕捉、追従対象の複数の受信信号から最終的な復調信号を得るように上記復調手段を制御する制御手段とを有し、
上記復調手段は、最終的な復調信号を得るのに利用する複数の受信信号のそれぞれに対し、フィンガ数が不均等なレイク合成方法を適用しているものであり、
上記制御手段は、ハンドオフ元セクタの複数の受信信号のうち、フィンガ数が少ない受信信号ほど、早い時期の切り替え段階でハンドオフ先セクタの受信信号に切り替える対象とする
ことを特徴とする基地局受信装置。
【請求項２】
自基地局の管轄セルが複数のセクタに分割されており、１セクタ当たりのアンテナ数が２本以上である基地局受信装置において、
いずれかのアンテナに係る入力された受信信号に対して同期捕捉、追従動作を行う、１セクタ当たりのアンテナ数に等しい数だけ、又は、それより少ないが複数設けられたサーチャ手段と、
異なるアンテナに係る複数の受信信号が入力され、サーチャ入力セレクト信号に応じてそのうちの１個の受信信号を選択して、対応する上記サーチャ手段に出力する複数のサーチャ入力セレクタ手段と、
異なるアンテナに係る複数の受信信号を、上記サーチャ手段による同期捕捉、追従した結果を利用して復調処理して最終的な復調信号を得る復調手段と、
セクタ間ハンドオフ動作を多段階の切り替え動作で実行するように上記各サーチャ入力セレクタ手段及び上記復調手段を制御するものであって、最終段階以前の切り替え段階の終了時では、一部のサーチャ手段に、ハンドオフ元セクタに係る受信信号が入力され、残りのサーチャ手段に、ハンドオフ先セクタに係る受信信号が入力されるように、上記各サーチャ入力セレクタ手段を制御すると共に、上記復調手段が、それら同期捕捉、追従対象の複数の受信信号から最終的な復調信号を得るように上記復調手段を制御する制御手段とを有し、
上記復調手段は、最終的な復調信号を得るのに利用する複数の受信信号のそれぞれについて、復調精度への影響を示すパラメータを経て上記制御手段に与えるものであり、
上記制御手段は、ハンドオフ元セクタの複数の受信信号のうち、復調精度への影響が良い受信信号ほど、遅い時期の切り替え段階でハンドオフ先セクタの受信信号に切り替える対象とする
ことを特徴とする基地局受信装置。
【請求項３】
移動局との通信方式がＣＤＭＡ通信方式に従っていることを特徴とする請求項１又は２に記載の基地局受信装置。
【発明の詳細な説明】
【０００１】
【発明の属する技術分野】
本発明は、セルが複数のセクタに分割され、各セクタについて複数のアンテナを有する基地局受信装置に関し、例えば、ＣＤＭＡ（符号分割多元接続）通信方式に従う基地局に適用し得るものである。
【０００２】
【従来の技術】
ＣＤＭＡ通信方式に従う移動体通信システムにおいても、基地局に収容可能な移動局の数を増加させる方法として、その基地局に係る管轄セルを複数のセクタ（サブセル領域）に分割し、セクタ毎に異なるアンテナを設ける方法が既に提案されている。また、各セクタに対して複数のアンテナを設け、アンテナダイバーシチにより、受信感度などを高めることも提案されている。
【０００３】
このような移動体通信システムにおいては、移動局の移動に伴い、基地局間のハンドオフ（ハンドオーバとも呼ばれる）だけでなく、同一基地局に係るセクタ間のハンドオフも適宜実行される。
【０００４】
従来においては、基地局は、ハンドオフ元セクタの各アンテナの受信信号に対応したサーチャ回路（同期捕捉回路）に加えて、ハンドオフ先セクタの各アンテナの受信信号に対応したサーチャ回路を備えている。そして、セクタ間ハンドオフの際には、ハンドオフ先セクタの各アンテナの受信信号に対応したサーチャ回路を用いてサーチ動作（同期捕捉動作）を行い、得られた１又は複数のパスの同期位置をいくつかのフィンガ回路（パス対応の復調回路）に割り当て、さらにその後のサーチ動作によって、ハンドオフ元のアンテナの受信信号が割り当てられていたフィンガ回路の全てにハンドオフ先のアンテナの受信信号を割り当てる（又は、一部若しくは全てのフィンガ回路を停止する）ことによって、復調信号の連続性をほぼ充足するセクタ間のソフトハンドオフを実現していた。
【０００５】
【発明が解決しようとする課題】
しかしながら、従来の構成では、基地局中にセクタ間ハンドオフ時のみに使用するサーチャ回路が存在しているため、回路規模が大きくなっていた。そのため、より少ないサーチャ回路でセクタ間ハンドオフを実現できる基地局受信装置が望まれている。
【０００６】
【課題を解決するための手段】
かかる課題を解決するために、第１の本発明は、自基地局の管轄セルが複数のセクタに分割されており、１セクタ当たりのアンテナ数が２本以上である基地局受信装置において、（１）いずれかのアンテナに係る入力された受信信号に対して同期捕捉、追従動作を行う、１セクタ当たりのアンテナ数に等しい数だけ、又は、それより少ないが複数設けられたサーチャ手段と、（２）異なるアンテナに係る複数の受信信号が入力され、サーチャ入力セレクト信号に応じてそのうちの１個の受信信号を選択して、対応する上記サーチャ手段に出力する複数のサーチャ入力セレクタ手段と、（３）異なるアンテナに係る複数の受信信号を、上記サーチャ手段による同期捕捉、追従した結果を利用して復調処理して最終的な復調信号を得る復調手段と、（４）セクタ間ハンドオフ動作を多段階の切り替え動作で実行するように上記各サーチャ入力セレクタ手段及び上記復調手段を制御するものであって、最終段階以前の切り替え段階の終了時では、一部のサーチャ手段に、ハンドオフ元セクタに係る受信信号が入力され、残りのサーチャ手段に、ハンドオフ先セクタに係る受信信号が入力されるように、上記各サーチャ入力セレクタ手段を制御すると共に、上記復調手段が、それら同期捕捉、追従対象の複数の受信信号から最終的な復調信号を得るように上記復調手段を制御する制御手段とを有し、上記復調手段は、最終的な復調信号を得るのに利用する複数の受信信号のそれぞれに対し、フィンガ数が不均等なレイク合成方法を適用しているものであり、上記制御手段は、ハンドオフ元セクタの複数の受信信号のうち、フィンガ数が少ない受信信号ほど、早い時期の切り替え段階でハンドオフ先セクタの受信信号に切り替える対象とすることを特徴とする。
【０００７】
また、第２の本発明は、自基地局の管轄セルが複数のセクタに分割されており、１セクタ当たりのアンテナ数が２本以上である基地局受信装置において、いずれかのアンテナに係る入力された受信信号に対して同期捕捉、追従動作を行う、１セクタ当たりのアンテナ数に等しい数だけ、又は、それより少ないが複数設けられたサーチャ手段と、異なるアンテナに係る複数の受信信号が入力され、サーチャ入力セレクト信号に応じてそのうちの１個の受信信号を選択して、対応する上記サーチャ手段に出力する複数のサーチャ入力セレクタ手段と、異なるアンテナに係る複数の受信信号を、上記サーチャ手段による同期捕捉、追従した結果を利用して復調処理して最終的な復調信号を得る復調手段と、セクタ間ハンドオフ動作を多段階の切り替え動作で実行するように上記各サーチャ入力セレクタ手段及び上記復調手段を制御するものであって、最終段階以前の切り替え段階の終了時では、一部のサーチャ手段に、ハンドオフ元セクタに係る受信信号が入力され、残りのサーチャ手段に、ハンドオフ先セクタに係る受信信号が入力されるように、上記各サーチャ入力セレクタ手段を制御すると共に、上記復調手段が、それら同期捕捉、追従対象の複数の受信信号から最終的な復調信号を得るように上記復調手段を制御する制御手段とを有し、上記復調手段は、最終的な復調信号を得るのに利用する複数の受信信号のそれぞれについて、復調精度への影響を示すパラメータを経て上記制御手段に与えるものであり、上記制御手段は、ハンドオフ元セクタの複数の受信信号のうち、復調精度への影響が良い受信信号ほど、遅い時期の切り替え段階でハンドオフ先セクタの受信信号に切り替える対象とすることを特徴とする。
【０００８】
【発明の実施の形態】
（Ａ）第１の実施形態
以下、本発明による基地局受信装置を、ＣＤＭＡ通信システムの基地局に適用した第１の実施形態を図面を参照しながら詳述する。
【０００９】
（Ａ−１）第１の実施形態の構成
ここで、図１が、この第１の実施形態の基地局受信装置１０の要部構成例を示すブロック図である。
【００１０】
なお、図１に示した基地局受信装置１０は、図２に示すように、自基地局の管轄セルＣＥＬＬが２個のセクタＳＥＣ１及びＳＥＣ２に分割され、各セクタＳＥＣ１、ＳＥＣ２のそれぞれに対応して２本の指向性の受信アンテナ（送受共用アンテナであっても良い）１０Ａ及び１０Ｂ、１０Ｃ及び１０Ｄが設けられている場合のものである。
【００１１】
図１において、第１の実施形態の基地局受信装置１０は、サーチャ入力セレクタ回路１１１、１１２、サーチャ回路１２１、１２２、制御回路１３１、フィンガ入力セレクタ回路１４１、１４２、１４３、１４４、フィンガ回路１５１、１５２、１５３、１５４、及び、コンバイナ１６１を備え、受信信号Ｓ１０Ａ、Ｓ１０Ｂ、Ｓ１０Ｃ、Ｓ１０Ｄを入力として、復調信号Ｓ１７を出力するものである。
【００１２】
各サーチャ入力セレクタ回路１１１、１１２には、各アンテナ１０Ａ、１０Ｂ、１０Ｃ、１０Ｄからの受信信号Ｓ１０Ａ、Ｓ１０Ｂ、Ｓ１０Ｃ、Ｓ１０Ｄが全て入力されている。ここで、受信信号Ｓ１０Ａ、Ｓ１０Ｂ、Ｓ１０Ｃ、Ｓ１０Ｄは、無線周波数帯からダウンコンバートされた後のベースバンド信号である。
【００１３】
サーチャ入力セレクタ回路１１１は、制御回路１３１から与えられたサーチャ入力セレクト信号Ｓ１３Ａに基づいて、いずれかの受信信号Ｓ１０Ａ、Ｓ１０Ｂ、Ｓ１０Ｃ又はＳ１０Ｄを選択して、サーチャ入力信号Ｓ１１Ａとして対応するサーチャ回路１２１に出力するものである。同様に、サーチャ入力セレクタ回路１１２は、制御回路１３１から与えられたサーチャ入力セレクト信号Ｓ１３Ｂに基づいて、いずれかの受信信号Ｓ１０Ａ、Ｓ１０Ｂ、Ｓ１０Ｃ又はＳ１０Ｄを選択して、サーチャ入力信号Ｓ１１Ｂとして対応するサーチャ回路１２２に出力するものである。
【００１４】
サーチャ回路１２１は、入力されたサーチャ入力信号Ｓ１１Ａに対する同期捕捉動作を行い、同期位置信号Ｓ１２Ａを制御回路１３１に出力するものである。同様に、サーチャ回路１２２は、入力されたサーチャ入力信号Ｓ１１Ｂに対する同期捕捉動作を行い、同期位置信号Ｓ１２Ｂを制御回路１３１に出力するものである。
【００１５】
なお、サーチャ回路１２１、１２２としては、マッチトフィルタやスライディング相関器を適用することができる。
【００１６】
この第１の実施形態の場合、サーチャ回路１２１、１２２の数（２個）は、１セクタ当たりのアンテナの数に選定されている。また、後述するように、各サーチャ回路１２１、１２２には、ハンドオフ元セクタのアンテナの受信信号が入力されることもあれば、ハンドオフ先セクタのアンテナの受信信号が入力されることもある。すなわち、この第１の実施形態の場合には、ハンドオフ元セクタの各アンテナの受信信号に対応した専用のサーチャ回路も存在しなければ、ハンドオフ先セクタの各アンテナの受信信号に対応した専用のサーチャ回路も存在しない。
【００１７】
制御回路１３１は、外部からセクタ間ハンドオフ指令信号Ｓ１８が入力されるものであり、制御回路１３１は、セクタ間ハンドオフ指令信号Ｓ１８が入力されたときに、図１に示した各部を制御してセクタ間ハンドオフ動作を実行させるものである。
【００１８】
セクタ間ハンドオフ指令信号Ｓ１８は、複数の基地局を収容して有線網との接続を制御する、基地局の上位装置である移動通信制御局から与えられるものであっても良く、また、当該基地局が、セクタＳＥＣ１の両アンテナ１０Ａ及び１０Ｂの受信電力の総和又は平均と、セクタＳＥＣ２の両アンテナ１０Ｃ及び１０Ｄの受信電力の総和又は平均とを比較した結果に基づいて発生するものであっても良い。
【００１９】
制御回路１３１によるセクタ間ハンドオフ時の制御機能については、後述する動作説明で明らかにする。
【００２０】
各フィンガ入力セレクタ回路１４１、１４２、１４３、１４４には、各アンテナ１０Ａ、１０Ｂ、１０Ｃ、１０Ｄからの受信信号Ｓ１０Ａ、Ｓ１０Ｂ、Ｓ１０Ｃ、Ｓ１０Ｄが全て入力されている。
【００２１】
フィンガ入力セレクタ回路１４１は、制御回路１３１から与えられたフィンガ入力セレクト信号Ｓ１３Ｃに基づいて、いずれかの受信信号Ｓ１０Ａ、Ｓ１０Ｂ、Ｓ１０Ｃ又はＳ１０Ｄを選択して、フィンガ入力信号Ｓ１４Ａとして対応するフィンガ回路１５１に出力するものである。同様に、他のフィンガ入力セレクタ回路１４２、１４３又は１４４も、制御回路１３１から与えられたフィンガ入力セレクト信号Ｓ１３Ｄ、Ｓ１３Ｅ又はＳ１３Ｆに基づいて、いずれかの受信信号Ｓ１０Ａ、Ｓ１０Ｂ、Ｓ１０Ｃ又はＳ１０Ｄを選択して、フィンガ入力信号Ｓ１４Ｂ、Ｓ１４Ｃ、Ｓ１４Ｄとして対応するフィンガ回路１５２、１５３又は１５４に出力するものである。
【００２２】
各フィンガ回路１５１、１５２、１５３又は１５４は、自己へのフィンガ入力信号（受信信号）Ｓ１４Ａ、Ｓ１４Ｂ、Ｓ１４Ｃ又はＳ１４Ｄに対して逆拡散処理や直交復調などの復調処理を行って、復調信号Ｓ１５Ａ、Ｓ１５Ｂ、Ｓ１５Ｃ又はＳ１５Ｄをコンバイナ１６１に出力するものである。ここで、各フィンガ回路１５１、１５２、１５３又は１５４は、制御回路１３１から与えられた追従位置信号Ｓ１３Ｇ、Ｓ１３Ｈ、Ｓ１３Ｉ又はＳ１３Ｊが指示する追従位置で（例えば逆拡散用の拡散符号の位相を制御して）復調処理を行い、入力されたフィンガ入力信号（受信信号）Ｓ１４Ａ、Ｓ１４Ｂ、Ｓ１４Ｃ又はＳ１４Ｄがマルチパス信号であっても所定のパスについての復調信号Ｓ１５Ａ、Ｓ１５Ｂ、Ｓ１５Ｃ又はＳ１５Ｄを得る。
【００２３】
なお、フィンガ回路１５１、１５２、１５３、１５４に与えられる追従位置信号Ｓ１３Ｇ、Ｓ１３Ｈ、Ｓ１３Ｉ、Ｓ１３Ｊは、位置を特定しない追従停止命令を内容とすることもあり、この場合には、フィンガ回路１５１、１５２、１５３、１５４は復調信号Ｓ１５Ａ、Ｓ１５Ｂ、Ｓ１５Ｃ、Ｓ１５Ｄを出力しない。
【００２４】
コンバイナ１６１は、フィンガ回路１５１、１５２、１５３及び又は１５４から与えられた復調信号Ｓ１５Ａ、Ｓ１５Ｂ、Ｓ１５Ｃ及び又はＳ１５Ｄを選択合成して統合した復調信号Ｓ１７を得て次段に出力するものである。ここで、選択合成に係る１又は複数の復調信号の特定は、制御回路１３１からの合成指示信号Ｓ１６によっている。また、合成時の復調信号Ｓ１５Ａ、Ｓ１５Ｂ、Ｓ１５Ｃ及び又はＳ１５Ｄの位相合わせは、制御回路１３１から与えられた追従位置信号Ｓ１３Ｇ、Ｓ１３Ｈ、Ｓ１３Ｉ及び又はＳ１３Ｊによっている。なお、合成比は、コンバイナ１６１が、既存の合成方法（例えば最大比合成）によって定めても良く、また、制御回路１３１が、入力された合成比率を定めるためのパラメータ（例えば同期位置信号Ｓ１２Ａ、Ｓ１２Ｂ）に基づいて定めるようにしても良い。
【００２５】
（Ａ−２）第１の実施形態の動作
まず、セクタ間ハンドオフが実行されない場合での通常動作を、図示しない移動局がセクタＳＥＣ１に属しているとして説明する。
【００２６】
この場合には当然に、セクタＳＥＣ１用のアンテナ１０Ａ、１０Ｂに係る受信信号Ｓ１０Ａ及びＳ１０Ｂが復調に使用される。
【００２７】
この第１の実施形態の場合、通常動作時には、移動局が属するセクタについての２つのアンテナに係る受信信号Ｓ１０Ａ、Ｓ１０Ｂがそれぞれ、サーチャ回路１２１、１２２で処理される。
【００２８】
制御回路１３１からのサーチャ入力セレクト信号Ｓ１３Ａに基づいて、サーチャ入力回路１１１によって、アンテナ１０Ａに係る受信信号Ｓ１０Ａが選択されてサーチャ回路１２１に入力され、このサーチャ回路１２１によって、同期捕捉、同期追従動作が継続的に実行され、得られた１又は複数（ない場合もある）の同期位置を特定する同期位置信号Ｓ１２Ａが制御回路１３１に入力される。
【００２９】
また、制御回路１３１からのサーチャ入力セレクト信号Ｓ１３Ｂに基づいて、サーチャ入力回路１１２によって、アンテナ１０Ｂに係る受信信号Ｓ１０Ｂが選択されてサーチャ回路１２２に入力され、このサーチャ回路１２２によって、同期捕捉、同期追従動作が継続的に実行され、得られた１又は複数（ない場合もある）の同期位置を特定する同期位置信号Ｓ１２Ｂが制御回路１３１に入力される。
【００３０】
制御回路１３１は、同期位置信号Ｓ１２Ａ及びＳ１２Ｂの双方によって特定される同期位置の中から任意の４個を選択し（但し、アンテナダイバーシチを考慮すると同期位置信号Ｓ１２Ａによる同期位置と同期位置信号Ｓ１２Ｂによる同期位置が４個の中に共に含まれていることが好ましい）、選択した各同期位置により４個の追従位置信号Ｓ１３Ｇ、Ｓ１３Ｈ、Ｓ１３Ｉ、Ｓ１３Ｊを形成してフィンガ回路１５１、１５２、１５３、１５４に与える。
【００３１】
また、制御回路１３１は、同期位置信号Ｓ１２Ａ及びＳ１２Ｂの双方によって３個の同期位置しか特定されていない場合には、特定した各同期位置により３個の追従位置信号Ｓ１３Ｇ、Ｓ１３Ｈ、Ｓ１３Ｉを形成してフィンガ回路１５１、１５２、１５３に与えると共に、同期位置が存在しない旨の追従位置信号Ｓ１３Ｊを形成してフィンガ回路１５４に与える。
【００３２】
さらに、制御回路１３１は、同期位置信号Ｓ１２Ａ及びＳ１２Ｂの双方によって２個の同期位置しか特定されていない場合には、特定した各同期位置により２個の追従位置信号Ｓ１３Ｇ、Ｓ１３Ｈを形成してフィンガ回路１５１、１５２に与えると共に、同期位置が存在しない旨の追従位置信号Ｓ１３Ｉ、Ｓ１３Ｊを形成してフィンガ回路１５３、１５４に与える。
【００３３】
さらにまた、制御回路１３１は、同期位置信号Ｓ１２Ａ及びＳ１２Ｂの双方によって１個の同期位置しか特定されていない場合には、特定した同期位置により１個の追従位置信号Ｓ１３Ｇを形成してフィンガ回路１５１に与えると共に、同期位置が存在しない旨の追従位置信号Ｓ１３Ｈ、Ｓ１３Ｉ、Ｓ１３Ｊを形成してフィンガ回路１５２、１５３、１５４に与える。
【００３４】
また、制御回路１３１は、同期位置信号Ｓ１２Ａ及びＳ１２Ｂの双方によって１個の同期位置も特定されていない場合には、同期位置が存在しない旨の追従位置信号Ｓ１３Ｇ、Ｓ１３Ｈ、Ｓ１３Ｉ、Ｓ１３Ｊを形成してフィンガ回路１５１、１５２、１５３、１５４に与える。
【００３５】
制御回路１３１は、上述した追従位置信号Ｓ１３Ｇ、Ｓ１３Ｈ、Ｓ１３Ｉ、Ｓ１３Ｊの形成に並行して、フィンガ入力セレクト信号Ｓ１３Ｃ〜Ｓ１３Ｆを以下のように形成する。
【００３６】
制御回路１３１は、フィンガ回路１５１に与えた追従位置信号Ｓ１３Ｇが示す同期位置が同期位置信号Ｓ１２Ａ（言い換えると、受信信号Ｓ１０Ａ）によるものであれば、受信信号Ｓ１０Ａを指示するフィンガ入力セレクト信号Ｓ１３Ｃをフィンガ回路１５１に出力し、一方、同期位置が同期位置信号Ｓ１２Ｂ（言い換えると、受信信号Ｓ１０Ｂ）によるものであれば、受信信号Ｓ１０Ｂを指示するフィンガ入力セレクト信号Ｓ１３Ｃをフィンガ回路１５１に出力する。
【００３７】
同様に、制御回路１３１は、他のフィンガ回路１５２〜１５４に与えるフィンガ入力セレクト信号Ｓ１３Ｄ〜Ｓ１３Ｆも、そのフィンガ回路１５２、１５３、１５４に与えた追従位置信号Ｓ１３Ｈ、Ｓ１３Ｉ、Ｓ１３Ｊが示す同期位置が同期位置信号Ｓ１２Ａ（言い換えると、受信信号Ｓ１０Ａ）によるものであれば、受信信号Ｓ１０Ａを指示する内容にし、一方、追従位置信号Ｓ１３Ｈ、Ｓ１３Ｉ、Ｓ１３Ｊが示す同期位置が同期位置信号Ｓ１２Ｂ（言い換えると、受信信号Ｓ１０Ｂ）によるものであれば、受信信号Ｓ１０Ｂを指示する内容にする。
【００３８】
各フィンガ入力セレクタ回路１４１、１４２、１４３、１４４は、制御回路１３１からの対応するフィンガ入力セレクト信号Ｓ１３Ｃ、Ｓ１３Ｄ、Ｓ１３Ｅ、Ｓ１３Ｆに基づいて、受信信号Ｓ１０Ａ及びＳ１３Ｂから、フィンガ入力セレクト信号Ｓ１３Ｃ、Ｓ１３Ｄ、Ｓ１３Ｅ、Ｓ１３Ｆが指示する受信信号Ｓ１０Ａ又はＳ１３Ｂを選択して、対応するフィンガ回路１５１、１５２、１５３、１５４に与える。
【００３９】
各フィンガ回路１５１、１５２、１５３、１５４は、制御回路１３１からの対応する追従位置信号Ｓ１３Ｇ、Ｓ１３Ｈ、Ｓ１３Ｉ、Ｓ１３Ｊが指示している位置関係（位相関係）で、対応するフィンガ入力セレクト信号Ｓ１３Ｃ、Ｓ１３Ｄ、Ｓ１３Ｅ、Ｓ１３Ｆに基づいて対応するフィンガ入力セレクタ回路１４１、１４２、１４３、１４４から与えられる受信信号Ｓ１０Ａ又はＳ１３Ｂに対して同期追従動作及び復調動作を行い、得られた復調信号Ｓ１５Ａ、Ｓ１５Ｂ、Ｓ１５Ｃ、Ｓ１５Ｄをコンバイナ１６１に与える。なお、追従位置信号Ｓ１３Ｇ、Ｓ１３Ｈ、Ｓ１３Ｉ、Ｓ１３Ｊが同期位置を特定していない信号の場合には、フィンガ回路１５１、１５２、１５３、１５４からは、復調信号Ｓ１５Ａ、Ｓ１５Ｂ、Ｓ１５Ｃ、Ｓ１５Ｄは出力されない。
【００４０】
コンバイナ１６１は、このようにして入力された復調信号Ｓ１５Ａ、Ｓ１５Ｂ、Ｓ１５Ｃ及び又はＳ１５Ｄを位相を合わせて結合して最終的な復調信号Ｓ１７を得て出力する。なお、有効な復調信号になっていない場合には（同期位置ではないために出力されていない）、その復調信号は結合の対象外となる。
【００４１】
以上のように、コンバイナ１６１は、最大で４種類の復調信号Ｓ１５Ａ、Ｓ１５Ｂ、Ｓ１５Ｃ及び又はＳ１５Ｄを結合しており、各アンテナ１０Ａ又は１０Ｂに係る受信信号Ｓ１０Ａ又はＳ１０Ｂからみればフィンガ数１〜４のレイク合成を実行しており、両アンテナ１０Ａ及び１０Ｂに係る受信信号Ｓ１０Ａ及びＳ１０Ｂからみればアンテナダイバーシチを実現している。
【００４２】
次に、セクタ間ハンドオフ時の動作を説明する。なお、セクタ間ハンドオフ動作を開始する前の状態は、移動局がセクタＳＥＣ１に属しており、移動局が属するセクタＳＥＣ１のアンテナ１０Ａに係る受信信号Ｓ１０Ａには有効なパスが１個存在し、フィンガ回路１５１において同期追従動作及び復調動作が行われており、また、アンテナ１０Ｂに係る受信信号Ｓ１０Ｂには有効なパスが３個存在し、フィンガ回路１５２、１５３、１５４において同期追従動作及び復調動作が行われているとして説明する。
【００４３】
図１に示す基地局受信装置１０の要部構成は、セクタ間ハンドオフ指令信号Ｓ１８が到来したときに、セクタ間ハンドオフ動作を開始する。ここでは、セクタＳＥＣ１からセクタＳＥＣ２へのハンドオフであり、従って、最終的な復調信号Ｓ１７を得るために用いる受信信号を、受信信号Ｓ１０Ａ及びＳ１０Ｂから、受信信号Ｓ１０Ｃ及びＳ１０Ｄに切り替える処理を行う。
【００４４】
この第１の実施形態の場合、セクタＳＥＣ１に係る受信信号Ｓ１０Ａ及びＳ１０Ｂから、セクタＳＥＣ２に係る受信信号Ｓ１０Ｃ及びＳ１０Ｄへ一気に切り替えるのではなく、サーチャ回路の数が少ないことに鑑みて、２段階に分けて切り替えを行うようにしている。以下、各段階の切り替えを、第１次切り替え、第２次切り替えと呼ぶこととする。
【００４５】
第１次切り替えは、ハンドオフ元セクタＳＥＣ１に係る受信信号Ｓ１０Ａからハンドオフ先セクタＳＥＣ２に係る受信信号Ｓ１０Ｃへの切り替えであり、この切り替え直後は、最終的な復調信号Ｓ１７を得るための受信信号として、セクタＳＥＣ１に係る受信信号Ｓ１０Ｂと、セクタＳＥＣ２に係る受信信号Ｓ１０Ｃとが用いられる。
【００４６】
第２次切り替えは、ハンドオフ元セクタＳＥＣ１に係る残りの受信信号Ｓ１０Ｂからハンドオフ先セクタＳＥＣ２に係る受信信号Ｓ１０Ｄへの切り替えであり、この切り替えにより、最終的な復調信号Ｓ１７を得るための受信信号が、ハンドオフ元セクタＳＥＣ１に係る受信信号Ｓ１０Ａ及びＳ１０Ｂから、ハンドオフ先セクタＳＥＣ２に係る受信信号Ｓ１０Ｃ及びＳ１０Ｄへ完全に切り替わる。
【００４７】
図３は、セクタ間ハンドオフ時の第１次切り替え動作の流れ例を示すフローチャートであり、図４は、セクタ間ハンドオフ時の第２次切り替え動作の流れ例を示すフローチャートであり、セクタ間ハンドオフ時の動作を、これら図３及び図４をも参照しながら具体的に説明する。
【００４８】
セクタＳＥＣ１からセクタＳＥＣ２へのセクタ間ハンドオフ時の第１次切り替えでは、上述のように、受信信号Ｓ１０Ａを切替受信信号、受信信号Ｓ１０Ｂを継続受信信号とし、また、受信信号Ｓ１０Ｃを選択受信信号、受信信号Ｓ１０Ｄを非選択受信信号とする。
【００４９】
制御回路１３１はまず、ハンドオフ元セクタＳＥＣ１の受信信号Ｓ１０Ａに対して同期捕捉動作を行っているサーチャ回路１２１に、セクタＳＥＣ２の受信信号である受信信号Ｓ１０Ｃに対しての同期捕捉動作をさせるため、サーチャ回路１２１の入力前段のサーチャ入力セレクタ回路１１１に対して、サーチャ入力セレクト信号Ｓ１３Ａによって、サーチャ入力信号Ｓ１１Ａとしての受信信号Ｓ１０Ａを受信信号Ｓ１０Ｃへ切り替えさせる（ステップＳＴ１００）。
【００５０】
サーチャ回路１２１は、受信信号Ｓ１０Ａから切り替わった受信信号Ｓ１０Ｃに対して同期捕捉動作を行い、得られた１又は複数の同期位置を同期位置信号Ｓ１２Ａを用いて制御回路１３１に出力する（ステップＳＴ１０１）。なお、同期捕捉動作の結果、同期位置が存在しない場合は、サーチャ回路１２１は、同期位置が存在しないことを同期位置信号Ｓ１２Ａを用いて制御回路１３１に通知する（ステップＳＴ１０１）。
その後、制御回路１３１は、入力された同期位置信号Ｓ１２Ａに基づいて、同期位置が存在するか否か、言い換えると、切り替えられた受信信号Ｓ１０Ｃに対し、サーチャ回路１２１が同期捕捉をできたか否かを判別する（ステップＳＴ１０２）。
【００５１】
制御回路１３１は、同期位置が存在しない場合（サーチャ回路１２１が受信信号Ｓ１０Ｃに対し、同期捕捉できない場合）には、第１次切り替えでのハンドオフ失敗処理を行う（ステップＳＴ１０３）。第１次切り替えでのハンドオフ失敗処理は、例えば、セクタ間ハンドオフ指令信号Ｓ１８の送信元の外部装置へ失敗の旨を通知する処理や、サーチャ回路１２１の同期捕捉対象の受信信号を、セクタ間ハンドオフ指令前の受信信号Ｓ１０Ａに復帰させて、これ以上のセクタ間ハンドオフ動作を中止する処理などである。なお、第１次切り替えでのハンドオフ失敗時に移動局とのコネクションを切断するようにしても良い。
【００５２】
一方、制御回路１３１は、同期位置が存在した場合（サーチャ回路１２１が受信信号Ｓ１０Ｃに対し、同期捕捉できた場合）には、まず、コンバイナ１６１に対して、フィンガ回路１５１からの復調信号Ｓ１５Ａを結合処理に利用しないことを合成指示信号Ｓ１６によって通知してから（ステップＳＴ１０４）、フィンガ入力セレクト信号Ｓ１３Ｃによって、フィンガ入力セレクタ回路１４１が選択する受信信号をハンドオフ元セクタＳＥＣ１の受信信号Ｓ１０Ａからハンドオフ先セクタＳＥＣ２の受信信号Ｓ１０Ｃに変更させる（ステップＳＴ１０５）。また、制御回路１３１は、同期位置信号Ｓ１２Ａによって選られた同期位置の内の１個の位置を追従位置信号Ｓ１３Ｇを用いてフィンガ回路１５１に出力し、これにより、フィンガ回路１５１は、受信信号Ｓ１０Ｃに対して追従位置信号Ｓ１３Ｇが指示する同期位置関係（位相関係）で復調を行って復調信号Ｓ１５Ａを得る（ステップＳＴ１０６）。
【００５３】
制御回路１３１は、切り替わった受信信号Ｓ１０Ｃに対するフィンガ回路１５１の復調動作が安定したタイミングで、コンバイナ１６１に対して、フィンガ回路１５１からの復調信号Ｓ１５Ａを結合処理に利用することを合成指示信号Ｓ１６によって通知する（ステップＳＴ１０７）。これにより、受信信号Ｓ１０Ｃに基づいて得られた復調信号Ｓ１５Ａも最終的な復調信号Ｓ１７に反映される。ここで、切り替わった受信信号Ｓ１０Ｃに対するフィンガ回路１５１の復調動作が安定したタイミングを、制御回路１３１は、例えば、所定時間の計時によって捉えるようにしても良く、また例えば、フィンガ回路１５１から相関出力（例えば、拡散符号を用いた逆拡散処理後の信号パワー平均）を取り込んで捉えるようにしても良い。
【００５４】
以上のような処理により第１次の切り替え動作が完了し、ハンドオフ失敗以外では、第２次の切り替え動作に移行する。第２次の切り替え動作では、上述のように、受信信号Ｓ１０Ｂを切替受信信号、受信信号Ｓ１０Ｃを継続受信信号とし、また、受信信号Ｓ１０Ｄを選択受信信号、受信信号Ｓ１０Ａを非選択受信信号とする。
【００５５】
制御回路１３１はまず、ハンドオフ元セクタＳＥＣ１の残りの受信信号Ｓ１０Ｂに対して同期捕捉動作を行っているサーチャ回路１２２に、ハンドオフ先セクタＳＥＣ２の受信信号である受信信号Ｓ１０Ｄに対しての同期捕捉動作をさせるため、サーチャ回路１２２の入力前段のサーチャ入力セレクタ回路１１２に対して、サーチャ入力セレクト信号Ｓ１３Ｂによって、サーチャ入力信号Ｓ１１Ｂとしての受信信号Ｓ１０Ｂを受信信号Ｓ１０Ｄへ切り替えさせる（ステップＳＴ１０８）。
【００５６】
サーチャ回路１２２は、受信信号Ｓ１０Ｂから切り替わった受信信号Ｓ１０Ｄに対して同期捕捉動作を行い、得られた１又は複数の同期位置を同期位置信号Ｓ１２Ｂを用いて制御回路１３１に通知する（ステップＳＴ１０９）。一方、同期捕捉動作の結果、同期位置が存在しない場合は、サーチャ回路１２２は、同期位置が存在しないことを同期位置信号Ｓ１２Ｂを用いて制御回路１３１に通知する（ステップＳＴ１０９）。
【００５７】
なお、第２次の切り替え動作では、第１次の切り替え動作で、ハンドオフ先セクタＳＥＣ２の受信信号Ｓ１０Ｃに対し、他のサーチャ回路１１１が同期位置を捉えているので、実際上、サーチャ回路１２２がハンドオフ先セクタＳＥＣ２の他の受信信号Ｓ１０Ｄの同期位置を１個も検出できないことは実際上ないであろう。
【００５８】
制御回路１３１は、ハンドオフ先セクタＳＥＣ２の受信信号Ｓ１０Ｄに対する同期位置信号Ｓ１２Ｂが入力されると、まず、コンバイナ１６１に対して、フィンガ回路１５２〜１５４からの復調信号Ｓ１５Ｂ〜Ｓ１５Ｄを結合処理に利用しないことを合成指示信号Ｓ１６によって通知してから（ステップＳＴ１１０）、フィンガ入力セレクト信号Ｓ１３Ｄ〜Ｓ１３Ｆによって、フィンガ入力セレクタ回路１４２〜１４４が選択する受信信号をハンドオフ元セクタＳＥＣ１の受信信号Ｓ１０Ｂからハンドオフ先セクタＳＥＣ２の受信信号Ｓ１０Ｄに変更させる（ステップＳＴ１１１）。また、制御回路１３１は、同期位置信号Ｓ１２Ｂに基づいて、同期位置の内の１個の位置を含む、又は、復調停止を指示する追従位置信号Ｓ１３Ｈ〜Ｓ１３Ｊを形成して、対応するフィンガ回路１５２〜１５４に与え、フィンガ回路１５２〜１５４に、対応する追従位置信号Ｓ１３Ｈ〜Ｓ１３Ｊが指示する同期位置関係（位相関係）で受信信号Ｓ１０Ｄに対する復調動作を実行させる（ステップＳＴ１１２）。なお、復調停止を指示する追従位置信号Ｓ１３Ｈ、Ｓ１３Ｉ又はＳ１３Ｊが与えられたフィンガ回路１５２、１５３又は１５４は復調動作は実行しない（ステップＳＴ１１２）。また、同期位置数に応じて、どの追従位置信号Ｓ１３Ｈ〜Ｓ１３Ｊに同期位置を盛り込み、その追従位置信号Ｓ１３Ｈ〜Ｓ１３Ｊに復調停止を盛り込むかは、上述した通常動作時と同様である。
【００５９】
制御回路１３１は、切り替わった受信信号Ｓ１０Ｄに対するフィンガ回路１５２、１５３又は１５４の復調動作が安定したタイミングで、コンバイナ１６１に対して、フィンガ回路１５２〜１５４からの復調信号Ｓ１５Ｂ〜Ｓ１５Ｄを結合処理に利用することを合成指示信号Ｓ１６によって通知する（ステップＳＴ１１３）。これにより、受信信号Ｓ１０Ｄに基づいて得られた復調信号Ｓ１５Ｂ〜Ｓ１５Ｄも最終的な復調信号Ｓ１７に反映される。なお、フィンガ回路１５２、１５３又は１５４から復調信号Ｓ１５Ｂ、Ｓ１５Ｃ又はＳ１５Ｄが出力されていない場合に、コンバイナ１６１がそれを結合に用いないことは当然である。
【００６０】
以上のような処理により第２次の切り替え動作が完了し、従って、セクタ間ハンドオフ動作の全体も完了し、移動局が移動した先のセクタＳＥＣ２だけを考慮した上述したような通常動作に移行する。この場合での通常動作は、当然に、セクタＳＥＣ２についての受信信号Ｓ１０Ｃ及びＳ１０Ｄだけが復調（当然に同期捕捉、追従も）に用いられる。
【００６１】
（Ａ−３）第１の実施形態の効果
第１の実施形態の基地局受信装置及びセクタ間ハンドオフ方法によれば、以下の効果を奏することができる。
【００６２】
１セクタ当たりのアンテナ数に等しい数のサーチャ回路を設け、各サーチャ回路の前段に設けたサーチャ入力セレクタ回路によって、各サーチャ回路に各セクタの各アンテナからの受信信号を切り替えて入力し得るようにしてセクタ間ハンドオフを実行できるようにしたので、セクタ間ハンドオフ時にのみ動作するサーチャ回路が不要となって従来よりサーチャ回路を少なくでき、基地局受信装置の回路規模を小さくすることができる。
【００６３】
なお、サーチャ入力セレクタ回路が必要となるが、これは選択構成であるので回路を実現するときにごく僅かな規模しか必要でなく、マッチトフィルタやスライディング相関器でなるサーチャ回路を減少させることによる回路規模の削減効果の方がはるかに大きいものである。
【００６４】
また、セクタ間ハンドオフ動作を２段階の切り替え動作に分け、第１段階の切り替え動作である第１次切り替え動作時において、フィンガ回路１５１が切り替えられた受信信号について同期位置の割当動作が新たに行われて、復調動作が一旦停止するものの、他のフィンガ回路１５２〜１５４は復調動作を継続的に行っているため、全体での復調動作が途切れることがない。
【００６５】
このような第１次切り替え動作時においては、ハンドオフ元セクタに係る２個の受信信号Ｓ１０Ａ及びＳ１０Ｂのうち、追従しているフィンガの数が少ない方の受信信号Ｓ１０Ａを切替受信信号にするようにしたので、この受信信号Ｓ１０Ａに対しては同期捕捉動作が行われないが、より多くのフィンガ回路１５２〜１５４が追従している受信信号Ｓ１０Ｂに対してはハンドオフ前と同様に同期捕捉動作が継続的に行われ、その結果、この面からも、第１次切り替え動作中において復調動作が途切れる可能性は低くなる。なお、フィンガ数が同一の場合には、予め定められている受信信号を、切替受信信号とするようにすれば良い。
【００６６】
また、第１次切り替え動作時においては、ハンドオフ元セクタに係る２個の受信信号Ｓ１０Ａ及びＳ１０Ｂのうち、追従しているフィンガの数が少ない方（１個）の受信信号Ｓ１０Ａを切替受信信号にするようにしたので、第１次切り替え動作時において１個の同期位置を捕捉できれば良く、第１次切り替え動作時におけるハンドオフ失敗の可能性を低くすることができる。
【００６７】
なお、第１次切り替え動作で、追従しているフィンガの数が多い方（３個）の受信信号Ｓ１０Ｂを切替受信信号にすることは、本発明の他の実施形態を構成する。
【００６８】
また、第２次切り替え動作時においては、フィンガ回路１５２〜１５４は、切り替えられた受信信号に対する同期位置の割当動作が新たに行われて、復調動作が一旦停止するものの、フィンガ回路１５１は復調動作を継続的に行っているため、全体での復調動作が途切れることがない。
【００６９】
（Ｂ）第２の実施形態
次に、本発明による基地局受信装置を、ＣＤＭＡ通信システムの基地局に適用した第２の実施形態を図面を参照しながら詳述する。
【００７０】
（Ｂ−１）第２の実施形態の構成
ここで、図５が、この第２の実施形態の基地局受信装置１１の要部構成例を示すブロック図であり、第１の実施形態に係る図１との同一、対応部分には同一符号を付して示している。
【００７１】
この図５から明らかなように、第２の実施形態の基地局受信装置１１も、構成要素は、第１の実施形態の基地局受信装置１０と同様である。すなわち、第２の実施形態の基地局受信装置１１も、サーチャ入力セレクタ回路１１１、１１２、サーチャ回路１２１、１２２、制御回路１３１、フィンガ入力セレクタ回路１４１、１４２、１４３、１４４、フィンガ回路１５１、１５２、１５３、１５４、及び、コンバイナ１６１を備えている。
【００７２】
第２の実施形態の基地局受信装置１１が、第１の実施形態の基地局受信装置１０と異なる点は、各フィンガ回路１５１、１５２、１５３、１５４が制御回路１３１に対して相関電力信号Ｓ１５Ｅ、Ｓ１５Ｆ、Ｓ１５Ｇ、Ｓ１５Ｈを出力する点と、制御回路１３１の制御機能である。
【００７３】
相関電力信号Ｓ１５Ｅ、Ｓ１５Ｆ、Ｓ１５Ｇ、Ｓ１５Ｈは、各フィンガ回路１５１、１５２、１５３、１５４での復調の度合（精度）を表すものであり、この電力値が高いほど復調が良好に行われていると捉えることができる。逆拡散処理では、拡散符号と入力受信信号との乗算を行っているが、この乗算は相関をとっていることに相当し、その所定期間での平均電力などが相関電力信号Ｓ１５Ｅ、Ｓ１５Ｆ、Ｓ１５Ｇ、Ｓ１５Ｈとなっている。
【００７４】
第２の実施形態の基地局受信装置１１における制御回路１３１の制御機能については、動作説明の項で明らかにする。
【００７５】
（Ｂ−２）第２の実施形態の動作
まず、セクタ間ハンドオフが実行されない場合での通常動作を、図示しない移動局がセクタＳＥＣ１に属しているとして説明する。
【００７６】
この場合には当然に、セクタＳＥＣ１用のアンテナ１０Ａ、１０Ｂに係る受信信号Ｓ１０Ａ及びＳ１０Ｂが復調に使用される。
【００７７】
この第２の実施形態の場合、通常動作時には、移動局が属するセクタについての２つのアンテナに係る受信信号Ｓ１０Ａ、Ｓ１０Ｂがそれぞれ、サーチャ回路１２１、１２２で処理される。
【００７８】
制御回路１３１からのサーチャ入力セレクト信号Ｓ１３Ａに基づいて、サーチャ入力回路１１１によって、アンテナ１０Ａに係る受信信号Ｓ１０Ａが選択されてサーチャ回路１２１に入力され、このサーチャ回路１２１によって、同期捕捉、同期追従動作が継続的に実行され、得られた１又は複数（ない場合もある）の同期位置を特定する同期位置信号Ｓ１２Ａが制御回路１３１に入力される。
【００７９】
また、制御回路１３１からのサーチャ入力セレクト信号Ｓ１３Ｂに基づいて、サーチャ入力回路１１２によって、アンテナ１０Ｂに係る受信信号Ｓ１０Ｂが選択されてサーチャ回路１２２に入力され、このサーチャ回路１２２によって、同期捕捉、同期追従動作が継続的に実行され、得られた１又は複数（ない場合もある）の同期位置を特定する同期位置信号Ｓ１２Ｂが制御回路１３１に入力される。
【００８０】
制御回路１３１は、同期位置信号Ｓ１２Ａ及びＳ１２Ｂの双方によって特定される同期位置の中から任意の４個を選択し（但し、アンテナダイバーシチを考慮すると同期位置信号Ｓ１２Ａによる同期位置と同期位置信号Ｓ１２Ｂによる同期位置が４個の中に共に含まれていることが好ましい）、選択した各同期位置により４個の追従位置信号Ｓ１３Ｇ、Ｓ１３Ｈ、Ｓ１３Ｉ、Ｓ１３Ｊを形成してフィンガ回路１５１、１５２、１５３、１５４に与える。
【００８１】
また、制御回路１３１は、同期位置信号Ｓ１２Ａ及びＳ１２Ｂの双方によって３個の同期位置しか特定されていない場合には、特定した各同期位置により３個の追従位置信号Ｓ１３Ｇ、Ｓ１３Ｈ、Ｓ１３Ｉを形成してフィンガ回路１５１、１５２、１５３に与えると共に、同期位置が存在しない旨の追従位置信号Ｓ１３Ｊを形成してフィンガ回路１５４に与える。
【００８２】
さらに、制御回路１３１は、同期位置信号Ｓ１２Ａ及びＳ１２Ｂの双方によって２個の同期位置しか特定されていない場合には、特定した各同期位置により２個の追従位置信号Ｓ１３Ｇ、Ｓ１３Ｈを形成してフィンガ回路１５１、１５２に与えると共に、同期位置が存在しない旨の追従位置信号Ｓ１３Ｉ、Ｓ１３Ｊを形成してフィンガ回路１５３、１５４に与える。
【００８３】
さらにまた、制御回路１３１は、同期位置信号Ｓ１２Ａ及びＳ１２Ｂの双方によって１個の同期位置しか特定されていない場合には、特定した同期位置により１個の追従位置信号Ｓ１３Ｇを形成してフィンガ回路１５１に与えると共に、同期位置が存在しない旨の追従位置信号Ｓ１３Ｈ、Ｓ１３Ｉ、Ｓ１３Ｊを形成してフィンガ回路１５２、１５３、１５４に与える。
【００８４】
また、制御回路１３１は、同期位置信号Ｓ１２Ａ及びＳ１２Ｂの双方によって１個の同期位置も特定されていない場合には、同期位置が存在しない旨の追従位置信号Ｓ１３Ｇ、Ｓ１３Ｈ、Ｓ１３Ｉ、Ｓ１３Ｊを形成してフィンガ回路１５１、１５２、１５３、１５４に与える。
【００８５】
制御回路１３１は、上述した追従位置信号Ｓ１３Ｇ、Ｓ１３Ｈ、Ｓ１３Ｉ、Ｓ１３Ｊの形成に並行して、フィンガ入力セレクト信号Ｓ１３Ｃ〜Ｓ１３Ｆを以下のように形成する。
【００８６】
制御回路１３１は、フィンガ回路１５１に与えた追従位置信号Ｓ１３Ｇが示す同期位置が同期位置信号Ｓ１２Ａ（言い換えると、受信信号Ｓ１０Ａ）によるものであれば、受信信号Ｓ１０Ａを指示するフィンガ入力セレクト信号Ｓ１３Ｃをフィンガ回路１５１に出力し、一方、同期位置が同期位置信号Ｓ１２Ｂ（言い換えると、受信信号Ｓ１０Ｂ）によるものであれば、受信信号Ｓ１０Ｂを指示するフィンガ入力セレクト信号Ｓ１３Ｃをフィンガ回路１５１に出力する。
【００８７】
同様に、制御回路１３１は、他のフィンガ回路１５２〜１５４に与えるフィンガ入力セレクト信号Ｓ１３Ｄ〜Ｓ１３Ｆも、そのフィンガ回路１５２、１５３、１５４に与えた追従位置信号Ｓ１３Ｈ、Ｓ１３Ｉ、Ｓ１３Ｊが示す同期位置が同期位置信号Ｓ１２Ａ（言い換えると、受信信号Ｓ１０Ａ）によるものであれば、受信信号Ｓ１０Ａを指示する内容にし、一方、追従位置信号Ｓ１３Ｈ、Ｓ１３Ｉ、Ｓ１３Ｊが示す同期位置が同期位置信号Ｓ１２Ｂ（言い換えると、受信信号Ｓ１０Ｂ）によるものであれば、受信信号Ｓ１０Ｂを指示する内容にする。
【００８８】
各フィンガ入力セレクタ回路１４１、１４２、１４３、１４４は、制御回路１３１からの対応するフィンガ入力セレクト信号Ｓ１３Ｃ、Ｓ１３Ｄ、Ｓ１３Ｅ、Ｓ１３Ｆに基づいて、受信信号Ｓ１０Ａ及びＳ１３Ｂから、フィンガ入力セレクト信号Ｓ１３Ｃ、Ｓ１３Ｄ、Ｓ１３Ｅ、Ｓ１３Ｆが指示する受信信号Ｓ１０Ａ又はＳ１３Ｂを選択して、対応するフィンガ回路１５１、１５２、１５３、１５４に与える。
【００８９】
各フィンガ回路１５１、１５２、１５３、１５４は、制御回路１３１からの対応する追従位置信号Ｓ１３Ｇ、Ｓ１３Ｈ、Ｓ１３Ｉ、Ｓ１３Ｊが指示している位置関係（位相関係）で、対応するフィンガ入力セレクト信号Ｓ１３Ｃ、Ｓ１３Ｄ、Ｓ１３Ｅ、Ｓ１３Ｆに基づいて対応するフィンガ入力セレクタ回路１４１、１４２、１４３、１４４から与えられる受信信号Ｓ１０Ａ又はＳ１３Ｂに対して同期追従動作及び復調動作を行い、得られた復調信号Ｓ１５Ａ、Ｓ１５Ｂ、Ｓ１５Ｃ、Ｓ１５Ｄをコンバイナ１６１に与える。なお、追従位置信号Ｓ１３Ｇ、Ｓ１３Ｈ、Ｓ１３Ｉ、Ｓ１３Ｊが同期位置を特定していない信号の場合には、フィンガ回路１５１、１５２、１５３、１５４からは、復調信号Ｓ１５Ａ、Ｓ１５Ｂ、Ｓ１５Ｃ、Ｓ１５Ｄは出力されない。
【００９０】
また、各フィンガ回路１５１、１５２、１５３、１５４は、それぞれ復調動作における逆拡散処理などによって得られる相関電力値を特定する相関電力信号Ｓ１５Ｅ、Ｓ１５Ｆ、Ｓ１５Ｇ、Ｓ１５Ｈを制御回路１３１に出力する。
【００９１】
コンバイナ１６１は、このようにして入力された復調信号Ｓ１５Ａ、Ｓ１５Ｂ、Ｓ１５Ｃ及び又はＳ１５Ｄを位相を合わせて結合して最終的な復調信号Ｓ１７を得て出力する。なお、有効な復調信号になっていない場合には（同期位置ではないために出力されていない）、その復調信号は結合の対象外となる。また、コンバイナ１６１は、相関電力信号Ｓ１５Ｅ、Ｓ１５Ｆ、Ｓ１５Ｇ、Ｓ１５Ｈを取り込み、復調信号Ｓ１５Ａ、Ｓ１５Ｂ、Ｓ１５Ｃ及び又はＳ１５Ｄが入力されていても、それに対応する相関電力信号Ｓ１５Ｅ、Ｓ１５Ｆ、Ｓ１５Ｇ、Ｓ１５Ｈが指示する層電力値が小さいときには結合の対象外とするようにしても良い。
【００９２】
次に、セクタ間ハンドオフ時の動作を説明する。なお、セクタ間ハンドオフ動作を開始する前の状態は、移動局がセクタＳＥＣ１に属しており、移動局が属するセクタＳＥＣ１のアンテナ１０Ａに係る受信信号Ｓ１０Ａには有効なパスが２個存在し、フィンガ回路１５１、１５２において同期追従動作及び復調動作が行われており、また、アンテナ１０Ｂに係る受信信号Ｓ１０Ｂにも有効なパスが２個存在し、フィンガ回路１５３、１５４において同期追従動作及び復調動作が行われているとして説明する。
【００９３】
図５に示す基地局受信装置１１の要部構成は、セクタ間ハンドオフ指令信号Ｓ１８が到来したときに、セクタ間ハンドオフ動作を開始する。ここでは、セクタＳＥＣ１からセクタＳＥＣ２へのハンドオフであり、従って、最終的な復調信号Ｓ１７を得るために用いる受信信号を、受信信号Ｓ１０Ａ及びＳ１０Ｂから、受信信号Ｓ１０Ｃ及びＳ１０Ｄに切り替える処理を行う。
【００９４】
この第２の実施形態の場合、セクタＳＥＣ１に係る受信信号Ｓ１０Ａ及びＳ１０Ｂから、セクタＳＥＣ２に係る受信信号Ｓ１０Ｃ及びＳ１０Ｄへ一気に切り替えるのではなく、サーチャ回路の数が少ないことに鑑みて、２段階に分けて切り替え（第１次切り替え、第２次切り替え）を行うようにしている。
【００９５】
図６は、セクタ間ハンドオフ時の第１次切り替え動作の流れ例を示すフローチャートであり、図７は、セクタ間ハンドオフ時の第２次切り替え動作の流れ例を示すフローチャートであり、第２の実施形態のセクタ間ハンドオフ時の動作を、これら図６及び図７をも参照しながら具体的に説明する。
【００９６】
セクタ間ハンドオフ指令信号Ｓ１８が到来したときに、セクタ間ハンドオフ動作、すなわち、第１次切り替え動作が開始される。
【００９７】
制御回路１３１は、第１次切り替え動作を開始すると、各フィンガ回路１５１、１５２、１５３、１５４からの相関電力信号Ｓ１５Ｅ、Ｓ１５Ｆ、Ｓ１５Ｇ、Ｓ１５Ｈに基づいて、相関電力値が最大のフィンガ回路を認識し、第１次切り替え動作での切替受信信号、継続受信信号、選択受信信号、非選択受信信号を決定する（ステップＳＴ２００）。
【００９８】
以下では、フィンガ回路１５３が相関電力値が最大のフィンガ回路として説明を行う。この場合、最大の相関電力値を持つフィンガ回路１５３が復調している受信信号Ｓ１０Ｂを継続復調させることとし、ハンドオフ元セクタＳＥＣ１については受信信号Ｓ１０Ａを切替受信信号、受信信号Ｓ１０Ｂを継続受信信号とし、また、ハンドオフ先セクタＳＥＣ２については受信信号Ｓ１０Ｃを選択受信信号、受信信号Ｓ１０Ｄを非選択受信信号とする。
【００９９】
制御回路１３１は、ハンドオフ元セクタＳＥＣ１の受信信号Ｓ１０Ａに対して同期捕捉動作を行っているサーチャ回路１２１に、セクタＳＥＣ２の受信信号である受信信号Ｓ１０Ｃに対しての同期捕捉動作を実行させるため、サーチャ回路１２１の入力前段のサーチャ入力セレクタ回路１１１に対して、サーチャ入力セレクト信号Ｓ１３Ａによって、サーチャ入力信号Ｓ１１Ａとしての受信信号Ｓ１０Ａを受信信号Ｓ１０Ｃへ切り替えさせる（ステップＳＴ２０１）。
【０１００】
サーチャ回路１２１は、受信信号Ｓ１０Ａから切り替わった受信信号Ｓ１０Ｃに対して同期捕捉動作を行い、得られた１又は複数の同期位置を同期位置信号Ｓ１２Ａを用いて制御回路１３１に出力する（ステップＳＴ２０２）。なお、同期捕捉動作の結果、同期位置が存在しない場合は、サーチャ回路１２１は、同期位置が存在しないことを同期位置信号Ｓ１２Ａを用いて制御回路１３１に通知する（ステップＳＴ２０２）。
その後、制御回路１３１は、入力された同期位置信号Ｓ１２Ａに基づいて、同期位置が存在するか否か、言い換えると、切り替えられた受信信号Ｓ１０Ｃに対し、サーチャ回路１２１が同期捕捉をできたか否かを判別する（ステップＳＴ２０３）。
【０１０１】
制御回路１３１は、同期位置が存在しない場合（サーチャ回路１２１が受信信号Ｓ１０Ｃに対し、同期捕捉できない場合）には、第１次切り替えでのハンドオフ失敗処理を行う（ステップＳＴ２０４）。第２の実施形態においても、第１次切り替えでのハンドオフ失敗処理は、例えば、セクタ間ハンドオフ指令信号Ｓ１８の送信元の外部装置へ失敗の旨を通知する処理や、サーチャ回路１２１の同期捕捉対象の受信信号を、セクタ間ハンドオフ指令前の受信信号Ｓ１０Ａに復帰させて、これ以上のセクタ間ハンドオフ動作を中止する処理などである。なお、第１次切り替えでのハンドオフ失敗時に移動局とのコネクションを切断するようにしても良い。
【０１０２】
一方、制御回路１３１は、同期位置が存在した場合（サーチャ回路１２１が受信信号Ｓ１０Ｃに対し、同期捕捉できた場合）には、まず、コンバイナ１６１に対して、フィンガ回路１５１、１５２からの復調信号Ｓ１５Ａ、Ｓ１５Ｂを結合処理に利用しないことを合成指示信号Ｓ１６によって通知してから（ステップＳＴ２０５）、フィンガ入力セレクト信号Ｓ１３Ｃ、Ｓ１３Ｄによって、フィンガ入力セレクタ回路１４１、１４２が選択する受信信号をハンドオフ元セクタＳＥＣ１の受信信号Ｓ１０Ａからハンドオフ先セクタＳＥＣ２の受信信号Ｓ１０Ｃに変更させる（ステップＳＴ２０６）。また、制御回路１３１は、同期位置信号Ｓ１２Ａが特定する同期位置の内の異なる１個の位置をそれぞれ追従位置信号Ｓ１３Ｇ、Ｓ１３Ｈを用いてフィンガ回路１５１、１５２に出力し、これにより、各フィンガ回路１５１、１５２は、受信信号Ｓ１０Ｃに対して追従位置信号Ｓ１３Ｇ、Ｓ１３Ｈが指示する同期位置関係（位相関係）で復調を行って復調信号Ｓ１５Ａ、Ｓ１５Ｂを得る（ステップＳＴ２０７）。
【０１０３】
なお、制御回路１３１は、同期位置信号Ｓ１２Ａが１個の同期位置しか特定していないときには、追従位置信号Ｓ１３Ｉをその同期位置に係る信号として、フィンガ回路１５３から復調信号Ｓ１５Ｃを出力させ、一方、追従位置信号Ｓ１３Ｊを復調停止を指示する信号として、フィンガ回路１５４から復調信号Ｓ１５Ｄを出力させない（ステップＳＴ２０７）。
【０１０４】
制御回路１３１は、切り替わった受信信号Ｓ１０Ｃに対するフィンガ回路１５１及び又は１５２の復調動作が安定したタイミングで、コンバイナ１６１に対して、フィンガ回路１５１及び又は１５２からの復調信号Ｓ１５Ａ及び又はＳ１５Ｂを結合処理に利用することを合成指示信号Ｓ１６によって通知する（ステップＳＴ２０８）。これにより、受信信号Ｓ１０Ｃに基づいて得られた復調信号Ｓ１５Ａ及び又はＳ１５Ｂも最終的な復調信号Ｓ１７に反映される。
【０１０５】
以上のような処理により第１次の切り替え動作が完了し、ハンドオフ失敗以外では、第２次の切り替え動作に移行する。第２次の切り替え動作では、受信信号Ｓ１０Ｂを切替受信信号、受信信号Ｓ１０Ｃを継続受信信号とし、また、受信信号Ｓ１０Ｄを選択受信信号、受信信号Ｓ１０Ａを非選択受信信号とする。
【０１０６】
制御回路１３１はまず、ハンドオフ元セクタＳＥＣ１の残りの受信信号Ｓ１０Ｂに対して同期捕捉動作を行っているサーチャ回路１２２に、ハンドオフ先セクタＳＥＣ２の受信信号である受信信号Ｓ１０Ｄに対しての同期捕捉動作をさせるため、サーチャ回路１２２の入力前段のサーチャ入力セレクタ回路１１２に対して、サーチャ入力セレクト信号Ｓ１３Ｂによって、サーチャ入力信号Ｓ１１Ｂとしての受信信号Ｓ１０Ｂを受信信号Ｓ１０Ｄへ切り替えさせる（ステップＳＴ２０９）。
【０１０７】
サーチャ回路１２２は、受信信号Ｓ１０Ｂから切り替わった受信信号Ｓ１０Ｄに対して同期捕捉動作を行い、得られた１又は複数の同期位置を同期位置信号Ｓ１２Ｂを用いて制御回路１３１に通知する（ステップＳＴ２１０）。一方、同期捕捉動作の結果、同期位置が存在しない場合は、サーチャ回路１２２は、同期位置が存在しないことを同期位置信号Ｓ１２Ｂを用いて制御回路１３１に通知する（ステップＳＴ２１０）。
【０１０８】
なお、第２次の切り替え動作では、第１次の切り替え動作で、ハンドオフ先セクタＳＥＣ２の受信信号Ｓ１０Ｃに対し、他のサーチャ回路１１１が同期位置を捉えているので、実際上、サーチャ回路１２２がハンドオフ先セクタＳＥＣ２の他の受信信号Ｓ１０Ｄの同期位置を１個も検出できないことは実際上ないであろう。
【０１０９】
制御回路１３１は、ハンドオフ先セクタＳＥＣ２の受信信号Ｓ１０Ｄに対する同期位置信号Ｓ１２Ｂが入力されると、まず、コンバイナ１６１に対して、フィンガ回路１５３、１５４からの復調信号Ｓ１５Ｃ、Ｓ１５Ｄを結合処理に利用しないことを合成指示信号Ｓ１６によって通知してから（ステップＳＴ２１１）、フィンガ入力セレクト信号Ｓ１３Ｅ、Ｓ１３Ｆによって、フィンガ入力セレクタ回路１４３、１４４が選択する受信信号をハンドオフ元セクタＳＥＣ１の受信信号Ｓ１０Ｂからハンドオフ先セクタＳＥＣ２の受信信号Ｓ１０Ｄに変更させる（ステップＳＴ２１２）。また、制御回路１３１は、同期位置信号Ｓ１２Ｂに基づいて、同期位置の内の１個の位置を含む、又は、復調停止を指示する追従位置信号Ｓ１３Ｉ、Ｓ１３Ｊを形成して、対応するフィンガ回路１５３、１５４に与え、フィンガ回路１５３、１５４に、対応する追従位置信号Ｓ１３Ｉ、Ｓ１３Ｊが指示する同期位置関係（位相関係）で受信信号Ｓ１０Ｄに対する復調動作を実行させる（ステップＳＴ２１３）。なお、復調停止を指示する追従位置信号Ｓ１３Ｉ又はＳ１３Ｊが与えられたフィンガ回路１５３又は１５４は復調動作は実行しない（ステップＳＴ２１３）。また、同期位置数に応じて、どの追従位置信号Ｓ１３Ｉ、Ｓ１３Ｊに同期位置を盛り込み、その追従位置信号Ｓ１３Ｉ、Ｓ１３Ｊに復調停止を盛り込むかは、上述した通常動作時と同様である。
【０１１０】
制御回路１３１は、切り替わった受信信号Ｓ１０Ｄに対するフィンガ回路１５３及び又は１５４の復調動作が安定したタイミングで、コンバイナ１６１に対して、フィンガ回路１５３及び又は１５４からの復調信号Ｓ１５Ｃ及び又はＳ１５Ｄを結合処理に利用することを合成指示信号Ｓ１６によって通知する（ステップＳＴ２１４）。これにより、受信信号Ｓ１０Ｄに基づいて得られた復調信号Ｓ１５Ｃ、Ｓ１５Ｄも最終的な復調信号Ｓ１７に反映される。なお、フィンガ回路１５３又は１５４から復調信号Ｓ１５Ｃ又はＳ１５Ｄが出力されていない場合に、コンバイナ１６１がそれを結合に用いないことは当然である。
【０１１１】
以上のような処理により第２次の切り替え動作が完了し、従って、セクタ間ハンドオフ動作の全体も完了し、移動局が移動した先のセクタＳＥＣ２だけを考慮した上述したような通常動作に移行する。この場合での通常動作は、当然に、セクタＳＥＣ２についての受信信号Ｓ１０Ｃ及びＳ１０Ｄだけが復調（当然に同期捕捉、追従も）に用いられる。
【０１１２】
（Ｂ−３）第２の実施形態の効果
第２の実施形態の基地局受信装置及びセクタ間ハンドオフ方法によれば、以下の効果を奏することができる。
【０１１３】
１セクタ当たりのアンテナ数に等しい数のサーチャ回路を設け、各サーチャ回路の前段に設けたサーチャ入力セレクタ回路によって、各サーチャ回路に各セクタの各アンテナからの受信信号を切り替えて入力し得るようにしてセクタ間ハンドオフを実行できるようにしたので、セクタ間ハンドオフ時にのみ動作するサーチャ回路が不要となって従来よりサーチャ回路を少なくでき、基地局受信装置の回路規模を小さくすることができる。
【０１１４】
また、セクタ間ハンドオフ動作を２段階の切り替え動作に分け、第１段階の切り替え動作である第１次切り替え動作時において、フィンガ回路１５１、１５２が切り替えられた受信信号について同期位置の割当動作が新たに行われて、復調動作が一旦停止するものの、他のフィンガ回路１５３、１５４は復調動作を継続的に行っているため、全体での復調動作が途切れることがない。
【０１１５】
このような第１次切り替え動作時においては、ハンドオフ元セクタに係る２個の受信信号Ｓ１０Ａ及びＳ１０Ｂのうち、復調信号での相関電力値が小さい方の受信信号を切替受信信号にするようにしたので、安定した復調動作を行っている一部のフィンガ回路が追従している受信信号に対してはハンドオフ前と同様に同期捕捉動作が継続的に行われ、その結果、この面からも、第１次切り替え動作中において復調動作が途切れる可能性は低くなる。
【０１１６】
なお、上記の動作説明例では、受信信号Ｓ１０Ａ及びＳ１０Ｂに対するフィンガ数が等しい状態からのセクタ間ハンドオフ動作を説明したが、受信信号Ｓ１０Ａ及びＳ１０Ｂに対するフィンガ数が不均等な状態からも当然にセクタ間ハンドオフを実行でき、第１次切り替え動作では、最大の相関電力値に係るハンドオフ元セクタの受信信号を継続受信信号とし、ハンドオフ元セクタの他の受信信号を切替受信信号とする。
【０１１７】
また、第２次切り替え動作時においては、一部のフィンガ回路は、切り替えられた受信信号に対する同期位置の割当動作が新たに行われて、復調動作が一旦停止するものの、他のフィンガ回路は復調動作を継続的に行っているため、全体での復調動作が途切れることがない。
【０１１８】
（Ｃ）他の実施形態
上記第１及び第２の実施形態の動作説明においては、第１次の切り替え動作において、選択受信信号が固定的に定まっているように説明したが、ハンドオフ先の複数の受信信号の中から、受信信号の強度などに応じて適応的に定めるようにしても良い。なお、第１の実施形態の場合において、第１次の切り替え動作における選択受信信号を固定的に定めた場合には、サーチャ入力セレクタ回路やフィンガ入力セレクタ回路への選択入力を図示のものより少なくすることができる。例えば、サーチャ入力セレクタ回路１１１に対して受信信号Ｓ１０Ａ及びＳ１０Ｃだけを選択候補として入力するようにしても良い。
【０１１９】
また、上記第１及び第２の実施形態においては、第１次の切り替え動作にいて切り替えた受信信号の同期捕捉ができない場合にはハンドオフ失敗とするものを示したが、ハンドオフ先セクタの他の受信信号に同期捕捉対象を切り替えて、第１次の切り替え動作をやり直すようにしても良い。
【０１２０】
さらに、上記第１及び第２の実施形態においては、１又は２個の受信信号に対してフィンガ数が２以上のレイク合成を行うものを示したが、各受信信号のそれぞれに対して１個の復調回路を備える基地局受信装置（レイク合成機能を有しない装置）に対しても本発明を適用することができる。
【０１２１】
さらにまた、上記第１及び第２の実施形態においては、コンバイナが復調信号の段階で選択合成を行うものを示したが、受信信号の段階で選択合成を行い、統合された受信信号に対して復調処理を行うようにしても良い。
【０１２２】
また、上記第１及び第２の実施形態においては、基地局の管轄セルが２個のセクタに分かれている場合について示したが、３以上に分かれている場合に対しても本発明を適用することができる。この場合に、ハンドオフ元セクタとハンドオフ先セクタが定まっていれば、上記と同様に動作する。
【０１２３】
さらに、上記第１及び第２の実施形態においては、１セクタ当たりのアンテナ数が２本の場合を示したが、３本以上を備える基地局受信装置にも本発明を適用することができる。
【０１２４】
この場合において、サーチャ回路の数をアンテナ数と同数にすることができる。このようにした場合でも、セクタ間ハンドオフを２段階で行うようにしても良く、また、３段階以上で切り替えるようにしても良い。
【０１２５】
また、１セクタ当たりのアンテナ数が３本以上の場合において、サーチャ回路をアンテナ数より少ない複数個とすることもできる。すなわち、同一セクタに係る３以上の受信信号のうち、通常動作でも、２以上の受信信号を復調に利用するようにしても良い。
【０１２６】
さらに、第１の実施形態のようなフィンガ数に基づいて第１次切替動作での切替受信信号や継続受信信号を定めるという技術思想と、第２の実施形態のような相関電力値に基づいて第１次切替動作での切替受信信号や継続受信信号を定めるという技術思想とは相反する関係に有るものではなく、これを併用するようにしても良い。例えば、セクタ間ハンドオフ動作の指令時において、フィンガ数が異なっていれば、第１の実施形態で説明した技術思想を適用し、セクタ間ハンドオフ動作の指令時において、フィンガ数が同一であれば、第１の実施形態で説明した技術思想を適用し、第１次切替動作での切替受信信号や継続受信信号を定める用にしても良い。
【０１２７】
さらにまた、第１及び第２の実施形態のような多段階の切り替えによるセクタ間ハンドオフ方法は、セクタ間ハンドオフ時にのみ動作するサーチャ回路を有する基地局受信装置であっても適用可能なものである。
【０１２８】
また、上記第１及び第２の実施形態においては、本発明による基地局受信装置を、ＣＤＭＡ通信システムの基地局に適用しものを示したが、他の移動体通信システムに対しても本発明を適用することができる。すなわち、管轄セルが複数のセクタに分割され、各セクタについてのアンテナ数が２本以上である通信システムであれば、本発明を適用することができる。
【０１２９】
【発明の効果】
以上のように、本発明の基地局受信装置によれば、１セクタ当たりのアンテナ数に等しい数だけ、又は、それより少ないが複数設けられたサーチャ手段でセクタ間ハンドオフを実現でき、基地局受信装置の回路規模を小さくでき、また、ハンドオフ元セクタの受信信号から、ハンドオフ先セクタの受信信号への切り替えを多段階で行うようにしているので、切り替え動作の全区間を通じて、復調処理に供している少なくとも一部の受信信号は安定した良好なものとなっており、その結果、セクタ間ハンドオフ時での復調信号の良好な連続性を達成することができる。
【図面の簡単な説明】
【図１】  第１の実施形態の基地局受信装置の要部構成を示すブロック図である。
【図２】  セル及びセクタの説明図である。
【図３】  第１の実施形態でのセクタ間ハンドオフ動作を示すフローチャート（その１）である。
【図４】  第１の実施形態でのセクタ間ハンドオフ動作を示すフローチャート（その２）である。
【図５】  第２の実施形態の基地局受信装置の要部構成を示すブロック図である。
【図６】  第２の実施形態でのセクタ間ハンドオフ動作を示すフローチャート（その１）である。
【図７】  第１の実施形態でのセクタ間ハンドオフ動作を示すフローチャート（その２）である。
【符号の説明】
１１１、１１２…サーチャ入力セレクタ回路、
１２１、１２２…サーチャ回路、
１３１…制御回路、
１４１〜１４４…フィンガ入力セレクタ回路、
１５１〜１５４…フィンガ回路、
１６１…コンバイナ。
【図１】
0003741571.tif 000002
【図２】
0003741571.tif 000003
【図３】
0003741571.tif 000004
【図４】
0003741571.tif 000005
【図５】
0003741571.tif 000006
【図６】
0003741571.tif 000007
【図７】
0003741571.tif 000008